(57)【要約】【課題】足場を不要とし、スタッドボルト収納作業の安全性および作業性の向上した原子炉圧力容器スタッドボルトの収納ラックを提供する。【解決手段】原子炉圧力容器スタッドボルトの収納ラック１の高さを、スタッドボルトの長さより低く、かつ、原子炉圧力容器の上蓋９のフランジ部１１（図５）の高さと同程度の高さまで低くした。これにより、転倒防止サポート４を短くでき、ドライウエル１３に設置可能となるので、スタッドボルト７の収納作業の効率が向上する。また、従来構造に比べて足場やサポート等の収納ラックの付属物を省略できるため、ボルト収納ラック全体を小型化できる。【選択図】　　　　図１
2004020312.tif 000002
【特許請求の範囲】
【請求項１】
原子炉圧力容器から取り外された上蓋締結用のスタッドボルトを収納して運搬するボルト収納ラックの高さを、該スタッドボルトの長さより低く、かつ原子炉上蓋フランジ部と同程度の高さとしたことを特徴とする原子炉圧力容器スタッドボルトボルト収納ラック。
【請求項２】
前記ボルト収納ラックの吊り金具を収納式としたことを特徴とする請求項１に記載の原子炉圧力容器スタッドボルト収納ラック
【請求項３】
前記吊り金具に吊りワイヤを取り付けるための附属足場を、前記収納ラックから省略したことを特徴とする請求項２に記載の原子炉圧力容器スタッドボルト収納ラック。
【請求項４】
前記スタッドボルトを収納するために、原子炉ドライウエルに載置される請求項１〜３のうちいずれか１項に記載の原子炉圧力容器ボルト収納ラック。
【発明の詳細な説明】
【０００１】
【発明の属する技術分野】
本発明は原子炉圧力容器スタッドボルト収納ラックに係り、特に、原子炉圧力容器から取り外されたスタッドボルトを効率よく収納でき、小型で設置スペースを小さくできるボルト収納ラックに関する。
【０００２】
【従来の技術】
従来の原子炉圧力容器ボルト収納ラックは、スタッドボルトの高さよりも高くして数本のスタッドボルトを収納できるようになっている。スタッドボルトの収納においては、ボルト収納ラックの横方向に開閉可能なサポートを上下２段に設けており、このサポートを開いて、ボルト収納ラックの横方向からスタッドボルトの出し入れを行えるようにしている。
【０００３】
このサポートはスタッドボルト収納時、開かないようにピンで固定される。ボルト収納ラックの横方向からスタッドボルトの出し入れを行えるようにしているのは、スタッドボルトの高さが約１．８ｍで、ボルト収納ラックの高さが約２ｍあり、上方からボルト収納ラック１に収納するには、高所作業となりスタッドボルトがボルト収納ラックに干渉し、スタッドボルトを損傷する心配があるため、開閉可能なサポートを設け横方向から収納できるようにしているものである。
【０００４】
ボルト収納ラックの吊り上げについては、ボルト収納ラックの上端に設置した吊り金具にて吊上げを行う。この吊り金具に吊上げワイヤを取り付けるときに、ボルト収納ラックの高さが約２ｍと高いため、ワイヤ取り付けのための足場を、ボルト収納ラックの両サイドに設けている。
【０００５】
足場は、ボルト収納ラックの移動時や保管時にコンパクトにするために、折りたたんでボルト収納ラック内に収まるようにしている。ボルト収納ラックは断面が長方形であるため、短辺方向の倒れ防止のためサポートを設けている。
【０００６】
原子炉圧力容器は、円筒中空構造の圧力容器本体と、圧力容器本体の上端に圧力容器本体の内部空間を閉止するために設置された上蓋とによって構成されている。この上蓋は、圧力容器本体の上端部に形成されている本体フランジ部に、周方向に等間隔に取り付けられた複数のスタッドボルトが、上蓋の周縁部のフランジ部に設けたボルト穴を貫通し、ナットで取り付けされている。
【０００７】
原子炉圧力容器の定期点検時には、ナットを取り外した後、上蓋がある状態で、点検に必要な本数のスタッドボルトが取り外される。取り外したスタッドボルトはオペレーテイングフロアに置かれたボルト収納ラックへ納められ、ボルト収納ラックごとオペレーティングフロアの所定の位置へ移動され、清掃・点検が実施される。ボルト収納ラックは大きいため、上蓋のあるドライウエルの位置に設置できないため、オペレーティングフロアで、スタッドボルトを収納している。
【０００８】
【発明が解決しようとする課題】
上記従来技術で述べたように、従来のボルト収納ラックは高さが高いため吊上げワイヤを取り付けるときにボルト収納ラックに設けた足場に乗って人手によって行うため、高所作業となり作業性や安全性がよくない。
【０００９】
すなわち、高さが高いために、転倒防止のためのサポートが長くなり、設置面積が大きく必要となって、ドライウエルの位置に設置できず、スタッドボルトをドライウエルの位置からオペレーティングフロアまで移動が必要で、作業はスタッドボルト１本づつの作業のため、作業効率がよくない。
【００１０】
本発明の目的は、原子炉圧力容器スタッドボルトの収納作業において、足場の設置を不要とし、ボルト収納ラックを小型化することにより、スタッドボルト収納作業の安全性および作業性を向上することにある。
【００１１】
【課題を解決するための手段】
上記目的を達成するために、本発明の原子炉圧力容器スタッドボルトの収納ラックは、原子炉圧力容器から取り外された上蓋締結用のスタッドボルトを収納して運搬するボルト収納ラックの高さを、該スタッドボルトの長さより低く、かつ原子炉上蓋フランジ部と同程度の高さとしたことを特徴とするものである。
【００１２】
本発明によれば、収納ラックの高さを低くしたことにより、転倒防止サポートを短くでき、ドライウエルに設置可能となるので、スタッドボルトの収納作業効率が向上する。また、高さを低くしたので、吊りワイヤ取り付けのための附属足場を省略でき、ボルト収納ラック全体を小型化できる。
【００１３】
【発明の実施の形態】
本発明の実施形態の概要は、原子炉圧力容器スタッドボルトの収納ラック１の高さを、原子炉圧力容器の上蓋９のフランジ部１１（図５）の高さと同程度の高さまで低くした。
【００１４】
これにより、転倒防止サポート４を短くでき、ドライウエル１３に設置可能となるので、スタッドボルト７の収納作業の効率が向上する。また、従来構造に比べて足場やサポート等の付属物を省略できるため、ボルト収納ラック全体を小型化できる。
【００１５】
以下、本発明による上蓋保持装置の実施形態を図１〜５に示す。図１にボルト収納ラックの正面図（Ａ）および側面図（Ｂ）、図２に図１のＡ−Ａ、Ｂ−Ｂ、Ｃ−Ｃ断面を示す。図３にボルト収納ラックの概略鳥瞰図を示す。図４に原子炉圧力容器の建屋の概略断面図を示し、スタッドボルト７とボルト収納ラック１の移動経路を示す。図５にスタッドボルト収納時の概略の状態図を示す。
【００１６】
本発明によるボルト収納ラック１は、スタッドボルト７を収納した状態で吊上げても転倒することがない高さまで高さを低くする。スタッドボルト７の収納においては、ボルト収納ラック１の横方向に開閉可能なサポート２を上下２段に設けている。
【００１７】
このサポート２を、図２のＡ−Ａ断面図のｂのように開いて、ボルト収納ラック１の横方向から、スタッドボルト７が直立した状態で出し入れを行えるようにしている。このサポート２はスタッドボルト７の収納後は、開かないようにピン３で固定される。
【００１８】
本発明のボルト収納ラックは、従来構造に比べて足場等の付属物を設置する必要が無いため、断面の寸法を小さくすることができ、ボルト収納ラック全体を小型化できる。
【００１９】
ボルト収納ラック１の吊り上げについては、ボルト収納ラック１の両サイドに設けた吊り金具５に吊りワイヤを取り付けて吊上げを行う。本実施形態では、収納ラック１の高さを低くしたので、作業者は足場に乗らないで作業できる。そのため、従来のように、ラックに附属して設けていた作業用の足場１５（図９）を省略できる。
【００２０】
吊り金具５は、ピン６で回転できるようにしており、使用しないときはボルト収納ラック１の内側に入るように、可動可能（図中のａ）な構造とし、スタッドボルト７の収納作業時やボルト収納ラック１の保管時にじゃまとならないようにしている。
【００２１】
ボルト収納ラック１は、短辺方向の倒れ防止のためサポート４を設けているが、ボルト収納ラック１の高さを低くしているので、サポート４は短くできる。これにより、ドライウエル１３（図４）の位置に設置できる大きさとしている。
【００２２】
図４に、原子炉圧力容器の概要と、原子炉の定期検査時に行われるスタッドボルト７の取り外しと仮置き位置までの移動を示す。取り外したスタッドボルト７はドライウエル１３に置かれたボルト収納ラック１へ納められ、ボルト収納ラック１ごとオペレーティングフロア１４の所定の位置へ移動され、清掃・点検が実施される。
【００２３】
図５に示すように、ドライウエル１３に置かれたボルト収納ラック１の高さを低くしたので、上蓋９のフランジ部の高さと同程度の高さとなり、スタッドボルト７の収納は効率よく作業できる。
【００２４】
図６に本発明の他の実施形態を示す。図６の（Ａ）は上面図、（Ｂ）は正面図、（Ｃ）は側面図である。本例はスタッドボルト７の収納部分１６を円筒として収納するようにしたもので、スタッドボルト７を吊り下げて直立した状態で上方から挿入すればよい。本例は、可動式のサポートをなくし簡素化したものである。
【００２５】
以下では、原子炉圧力容器ボルト収納ラックの一参考例を、図７〜９を参照して説明する。図７にボルト収納ラックの正面図（Ａ）および側面図（Ｂ）、図８に図７のＤ−Ｄ、Ｅ−Ｅ、Ｆ−Ｆ断面およびＤ−Ｄ断面図のＧ詳細を示す。図９にボルト収納ラックの概略鳥瞰図を示す。図１０に原子炉圧力容器の建屋の概略断面図を示し、スタッドボルト７とボルト収納ラック１の移動経路を示す。
【００２６】
図７〜８に示すように、ボルト収納ラック１は、スタッドボルト７の高さよりも高くして数本のスタッドボルト７を収納できるようになっている。スタッドボルト７の収納においては、ボルト収納ラック１の横方向に開閉可能なサポート２を上下２段に設けている。
【００２７】
このサポート２を開いて、ボルト収納ラック１の横方向から、スタッドボルト７が直立した状態で出し入れを行えるようにしている。このサポート２はスタッドボルト７の収納後は、開かないようにピン３で固定される。
【００２８】
ボルト収納ラック１の横方向からスタッドボルト７の出し入れを行えるようにしているのは、スタッドボルト７の高さが約１．８ｍでボルト収納ラック１の高さが約２ｍあり、上方からボルト収納ラック１に収納するには、高所作業となりスタッドボルト７がボルト収納ラック１に干渉し、スタッドボルト７を損傷する心配があるため、開閉可能なサポート２を設けて横方向から収納できるようにしているものである。
【００２９】
ボルト収納ラック１の吊り上げについては、ボルト収納ラック１の上端に設置した吊り金具５にて吊上げを行う。この吊り金具５に吊上げワイヤを取り付けるときに、ボルト収納ラック１の高さが約２ｍと高いため、ワイヤ取り付けのための足場１５を、ボルト収納ラック１の両サイドに設けている。
【００３０】
足場１５は、ボルト収納ラックの移動時や保管時にコンパクトにするために、折りたたんでボルト収納ラック１内に収まるようにしている。なお、ボルト収納ラック１は断面が長方形であるため、短辺方向の倒れ防止のためサポート４を設けている。
【００３１】
図１０に、参考例における原子炉圧力容器の概要と、原子炉の定期検査時に行われるスタッドボルト７の取り外しと仮置き位置までの移動を示す。原子炉圧力容器については図４で説明したのでここでは説明を省略する。
【００３２】
原子炉圧力容器の定期点検時には、点検に必要な本数のスタッドボルト７を取り外し、取り外したスタッドボルト７は、オペレーテイングフロア１４に置かれたボルト収納ラック１へ納められ、ボルト収納ラック１ごとオペレーティングフロア１４の所定の位置へ移動され、清掃・点検が実施される。ボルト収納ラック１は大きいため、上蓋９のあるドライウエル１３の位置に設置できないため、オペレーティングフロア１４で、スタッドボルト７を収納している。
【００３３】
参考例におけるボルト収納ラック１は高さが高いため、吊上げワイヤを取り付けるときに、ボルト収納ラック１に設けた足場１５（図９）に乗って人手によって行うが、高所作業となり作業性や安全性がよくない。高さが高いために、転倒防止のためのサポート４が長くなり、大きな設置面積が必要となる。
【００３４】
そのため、ドライウエル１３の位置に設置できず、スタッドボルト７をオペレーティングフロア１４まで移動することが必要で、作業はスタッドボルト１本づつの作業となり、作業効率がよくない。ドライウエル１３の所にボルト収納ラック１を設置できれば、スタッドボルト７とボルト収納ラック１まで移動距離が短く、作業効率がよい。
【００３５】
【発明の効果】
本発明によれば、スタッドボルトより低いボルト収納ラックとすることにより、附属足場やサポートを省略して小型化でき、ドライウエルの位置に設置できるので、スタッドボルト収納作業が効率よく実施できる。また、オペレーテイングフロアへの保管のための設置スペースも少なくすることができる。
【図面の簡単な説明】
【図１】本発明による原子炉圧力容器ボルト収納ラックの一実施形態を示す正面図および側面図。
【図２】図１のＡ−Ａ、Ｂ−Ｂ，Ｃ−Ｃ視図。
【図３】本発明による原子炉圧力容器ボルト収納ラックの鳥瞰図。
【図４】原子炉建屋の概略断面図と本発明による原子炉圧力容器ボルト収納ラックの移動図。
【図５】本発明におけるスタッドボルト収納時の概略の状態図。
【図６】本発明による原子炉圧力容器ボルト収納ラックの他の実施形態を示す図。
【図７】原子炉圧力容器ボルト収納ラックの一参考例の正面図および側面図。
【図８】図７のＤ−Ｄ、Ｅ−Ｅ、Ｆ−Ｆ視図およびＤ−Ｄ視図のＧ部詳細図。
【図９】図７の原子炉圧力容器ボルト収納ラックの鳥瞰図。
【図１０】原子炉建屋の概略断面図と参考例による原子炉圧力容器ボルト収納ラックの移動図。
【符号の説明】
１　ボルト収納ラック
２　サポート
３　ピン
４　サポート
５　吊り金具
６　ピン
７　スタッドボルト
８　原子炉圧力容器本体
９　原子炉圧力容器上蓋
１０　本体フランジ部
１１　上蓋フランジ部
１２　ナット
１３　ドライウエル
１４　オペレーティングフロア
１５　附属足場
【図１】
2004020312.tif 000003
【図２】
2004020312.tif 000004
【図３】
2004020312.tif 000005
【図４】
2004020312.tif 000006
【図５】
2004020312.tif 000007
【図６】
2004020312.tif 000008
【図７】
2004020312.tif 000009
【図８】
2004020312.tif 000010
【図９】
2004020312.tif 000011
【図１０】
2004020312.tif 000012